(57)【要約】      （修正有）【課題】直接手指を触れずにレバー式のドアノブやサムターン、エレベーターの階ボタンなどを操作することが可能なドアノブ補助具を提供する。【解決手段】杆状を成したレバー式のドアノブの長手側面に当接する当接部１を設ける。該当接部１の先端側に係止部２を屈曲延長する。当接部１と係止部２とで略鉤形状を成した操作体３を設ける。操作体３を介してドアノブを操作するように構成する。操作体３の当接部１と係止部２との先端側に平行な一対の把持突起４を形成する。把持突起４相互の間にサムターンを挟んで回転させるように構成する。【選択図】図１
0003227112.tif 000002
【実用新案登録請求の範囲】
【請求項１】
レバー型のドアノブの長手側面に当接する当接部と、該当接部の先端側に屈曲延長された係止部とで略鉤形状を成した操作体を設け、該操作体を介してドアノブを操作するように構成すると共に、当接部の先端側と係止部の先端側とに平行な一対の把持突起を形成し、該把持突起相互の間にサムターンを挟んで回転させるように構成したことを特徴とするドアノブ補助具。
【請求項２】
前記把持突起のいずれか一方に、ボタン用突起を突設し、該ボタン用突起にて各種の操作ボタンを押圧するように構成した請求項１記載のドアノブ補助具。
【請求項３】
前記当接部に指用リング体を設け、該指用リング体に指を挿入して前記操作体又は前記把持突起又は前記ボタン用突起のいずれかを操作するように構成した請求項１記載のドアノブ補助具。
【考案の詳細な説明】
【技術分野】
【０００１】
本考案は、ドアなどのノブを回す際にノブに直接手指を触れずに回すことが可能になるドアノブ補助具に関する。
【背景技術】
【０００２】
高齢者等を支援するために、非力な者でもノブを容易に回すことができる補助把手が特許文献１に記載されている。この補助把手は、ノブの外周に取付ける取付部と、この取付部から延長された操作部とを備えたもので、取付部をノブの外周に固定した状態で、操作部を操作すると、非力な者でもノブを容易に回すことができるというものである。
【０００３】
一方、サムターンと称する内鍵つまみを回転させる補助レバーが特許文献２に記載されている。この補助レバーは、指先の力が非力な者でもサムターンを容易に回転できるように構成したもので、２枚の金属板を屈曲して相対向する隙間をスリットとして設け、このスリット内にサムターンを差し込んで回転させる構造である。
【先行技術文献】
【特許文献】
【０００４】
【特許文献１】特許第３０９８９８６号公報
【特許文献２】特開２０１１−３２８５０号公報
【考案の概要】
【考案が解決しようとする課題】
【０００５】
ところが、特許文献１のようなドアノブを回す補助把手では、取付部が円環状を成していることから、握り玉タイプのドアノブに装着することは可能でも、杆状を成したレバー型のドアノブに装着することはできない構成であった。
【０００６】
また、レバー型のドアノブは、握り玉タイプのドアノブと比べて非力な者でも回し易い構造を成しているので、高齢者等を支援する補助把手は特に必要ない構造になっている。
【０００７】
ところが、世界中で感染症が流行している状況において感染症の拡散を防ぐには、特に接触感染を予防する補助具が必用になる。たとえば、エレベーターのボタン等に直接手指を触れずに操作する補助具として爪楊枝などを使用する場合もあるが、このような補助具ではドアノブやサムターンを回すことはできない。
【０００８】
そのため、直接手指を触れずにドアノブやサムターンを回すことが可能な補助具があれば、接触感染の拡散を予防する効果が期待できる。しかも、このような補助具を常時携帯するためには、特許文献１のように予めドアノブに装着する必要がなく、しかも、携帯に適したサイズが好ましい。
【０００９】
また、特許文献２の補助把手のように、サムターンを専用に回す補助具は提案されていても、サムターン以外の器具等を操作することはできない。接触感染を防止する補助具では、できるだけ多くの器具、例えばドアノブやサムターン、あるいはエレベーターの階ボタンなど、一つの補助具でできるだけ多くの器具の操作ができるものが望ましい。
【００１０】
そこで本考案は、上述の課題を解消すべく案出されたもので、接触感染を予防する補助具として、直接手指を触れずにレバー式のドアノブやサムターン、エレベーターの階ボタンなどを操作することが可能なドアノブ補助具の提供を目的とするものである。
【課題を解決するための手段】
【００１１】
上述の目的を達成すべく本考案における第１の手段は、レバー型のドアノブＰの長手側面に当接する当接部１と、該当接部１の先端側に屈曲延長された係止部２とで略鉤形状を成した操作体３を設け、該操作体３を介してドアノブＰを操作するように構成すると共に、当接部１の先端側と係止部２の先端側とに平行な一対の把持突起４を形成し、該把持突起４相互の間にサムターンＱを挟んで回転させるように構成している。
【００１２】
第２の手段は、前記把持突起４のいずれか一方に、ボタン用突起５を突設し、該ボタン用突起５にて各種の操作ボタンＲを押圧するように構成している。
【００１３】
第３の手段は、前記当接部１に指用リング体６を設け、該指用リング体６に指を挿入して前記操作体３又は前記把持突起４又は前記ボタン用突起５のいずれかを操作するように構成したものである。
【考案の効果】
【００１４】
本考案の請求項１に記載のごとく、レバー型のドアノブＰの長手側面に当接する当接部１と、該当接部１の先端側に屈曲延長された係止部２とで略鉤形状を成した操作体３を設け、該操作体３を介してドアノブＰを操作するように構成しているので、ドアノブＰに直接手指を触れずに回転操作することが可能になる。
【００１５】
また、当接部１の先端側と係止部２の先端側とに平行な一対の把持突起４を形成し、該把持突起４相互の間にサムターンＱを挟んで回転させるように構成したことにより、サムターンＱに直接手指を触れずに回転操作することができる。
【００１６】
この結果、特に接触感染を予防する補助具として極めて有効であり、感染症の拡大を防ぐ一助になる。
【００１７】
請求項２のごとく、前記把持突起４のいずれか一方に、ボタン用突起５を突設し、該ボタン用突起５にて各種の操作ボタンＲを押圧するように構成しているので、エレベーターの階ボタンやパソコンのキーボートなど、各種の操作ボタンＲに触れずに操作することが可能になる。
【００１８】
請求項３によると、前記当接部１に指用リング体６を設け、該指用リング体６に指を挿入して前記操作体３又は前記把持突起４又は前記ボタン用突起５のいずれかを操作するように構成しているので、この指用リング体６に指を挿入することで、各種の操作を容易にすることができる。
【００１９】
このように本考案によると、接触感染を予防する一つの補助具として、直接手指を触れずにレバー式のドアノブやサムターン、エレベーターの階ボタンなど、複数の器具を操作することが可能になるといった当初の目的を達成した。
【図面の簡単な説明】
【００２０】
【図１】本考案の一実施例を示す正面図である。
【図２】本考案の操作体の使用状態を示す斜視図である。
【図３】本考案の把持突起の使用状態を示す斜視図である。
【図４】本考案のボタン用突起の使用状態を示す斜視図である。
【考案を実施するための形態】
【００２１】
本考案は、特に接触感染を予防する補助具として使用するもので、たとえば、ドアノブやエレベーターのボタン等に直接手指を触れずに操作可能になる補助具である。
【００２２】
本考案補助具は、特に、操作体３、把持突起４、ボタン用突起５を使用して各種の器具を操作する。
【００２３】
操作体３は、当接部１と係止部２とで構成する略鉤形状を成した部位である（図１参照）。当接部１は、レバー型のドアノブＰの長手側面に当接する部位で、図示例では杆状の部材を使用している。すなわち、当接部１は直線状を成しており、この当接部１の先端側の側面に、後述する係止部２を形成したものである。
【００２４】
係止部２は、当接部１の先端側の側面から屈曲延長された部位である（図１参照）。そして、これら当接部１と係止部２とで略鉤形状を成す操作体３をドアノブＰの側面に係合するように構成している（図２参照）。そして、この操作体３を介してドアノブＰを回転操作する。
【００２５】
図示の係止部２には、当接部１と対峙する位置で突出する固定部２Ａを設けている（図１参照）。そして、操作体３をドアノブＰに掛けた際に、この固定部２ＡがドアノブＰの側縁に係合して操作体３の位置を固定する。
【００２６】
一方、操作体３の当接部１の先端側と係止部２の先端側とに平行な一対の把持突起４を形成している（図１参照）。図示の把持突起４は、当接部１の先端を延長した部位の把持突起４と、係止部２の先端側から突設した把持突起４との一対である。そして、これらの把持突起４の間にサムターンＱを挟んで回転させるように構成している（図３参照）。
【００２７】
また、把持突起４のいずれか一方に、ボタン用突起５を突設する（図１参照）。この把持突起４の先端によって各種の操作ボタンＲ、例えばエレベーターの階ボタンやパソコンのキーボード、あるいは自動車のドアノブに設けられた操作ボタンＲなどを押圧操作する（図４参照）。図示例では、当接部１から延長された把持突起４の先端を更に延長してボタン用突起５としている。したがって、ボタン用突起５は、把持突起４に比べて先端部が長くなり各把持突起４がボタン用突起５の操作の妨げにならない。
【００２８】
更に、当接部１の適位置に、指を挿入する指用リング体６を設けている（図１参照）。この指用リング体６に指を挿入することで、当接部１が手指に固定されるので、操作体３や把持突起４、あるいはボタン用突起５の操作が容易になる（図２、３、４参照）。
【００２９】
図示の指用リング体６は、当接部１の基端側に指１本の挿入が可能なサイズの指用リング体６を設けている（図１参照）。このように設けることで、各種操作を指１本で操作することが可能になる。尤も、指用リング体６の形状は、複数本指を挿入する形状にしても良く（図示せず）、当接部１の他の位置に形成することも可能である。また、図示例では、指用リング体６をキーホルダー等に連結する連結具６Ａを備えている。
【００３０】
尚、図示例では、操作体３、把持突起４、ボタン用突起５、指用リング体６の各部位を一体にして形成しているが、各部位を別々に形成して連結する構成にすることも可能である。
【００３１】
また、本考案の構成は図示の構成に限定されるものではなく、本考案の要旨を変更しない範囲で自由に設計変更が行える。また、本考案の使用例も限定されるものではない。
【符号の説明】
【００３２】
Ｐ  ドアノブ
Ｑ  サムターン
Ｒ  操作ボタン
１  当接部
２  係止部
２Ａ  固定部
３  操作体
４  把持突起
５  ボタン用突起
６  指用リング体
６Ａ  連結具
【図１】
0003227112.tif 000003
【図２】
0003227112.tif 000004
【図３】
0003227112.tif 000005
【図４】
0003227112.tif 000006